(57)【特許請求の範囲】
【請求項１】
外ケースと、外ケース内に収容された燃焼筐とを備え、外ケースの前面側から燃焼筐内を目視可能とした暖炉型暖房器であって、燃焼筐内の下部に配置した支持板と、支持板上に載置された擬似薪と、擬似薪の載置位置の前側に沿った支持板の下側に配置されてガス燃料により燃焼する横方向に長手のバーナとを備え、支持板に、バーナ上部の炎孔を露出させるバーナ用開口と、バーナ用開口の周辺部に開口する二次空気孔とが開設され、二次空気孔から送られる二次空気のみをバーナの燃焼用空気として用いるものにおいて、
支持板上に、バーナの少なくとも一部の前後側に対向してバーナの炎孔から空隙を存した上方位置に二次空気孔からの二次空気を案内する一対の二次空気案内板を設けたことを特徴とする暖炉型暖房器。
【請求項２】
前記二次空気案内板は、前記支持板上に重合して支持板に連結される連結部と、該連結部に形成されて支持板の二次空気孔に連通する連通孔と、連通孔を介して送られる二次空気をバーナの炎孔の上方に向かって上昇させる上昇案内部とを備えることを特徴とする請求項１記載の暖炉型暖房器。
【請求項３】
前記燃焼筐には支持板の下側に二次空気を供給する給気ダクトが設けられており、給気ダクトからの二次空気がバーナの長手方向の一方端部の後方側からバーナに向かって流動するとき、
バーナの長手方向の一方端部とその後方側に位置する二次空気孔との間に起立して二次空気孔からバーナへ向かう二次空気流を抑制する二次空気抑制板を設け、前記二次空気案内板をバーナの長手方向の他方端部側に設けたことを特徴とする請求項１又は２記載の暖炉型暖房器。
【発明の詳細な説明】
【技術分野】
【０００１】
本発明は、外ケースと、外ケース内に設けた燃焼筐とを備え、外ケースの前面側から燃焼筐内を目視可能とした暖炉型暖房器に関する。
【背景技術】
【０００２】
従来、この種の暖房器として、燃焼筐内の下部に配置した支持板上にセラミックス等の耐火材で形成された擬似薪を載置すると共に、支持板の下側に、支持板に開設した開口に臨ませてガス燃料を燃焼させるバーナを配置し、バーナを燃焼させたときに火炎が開口を通して支持板上に立ち昇り、あたかも暖炉で擬似薪が燃えているような視覚的印象を与えられるようにしたものが知られている(例えば、特許文献１参照)。
【０００３】
上記従来例のものでは、支持板の下側にトーチ状のバーナを複数配置しているが、これでは、擬似薪がバーナの配置部に合致する箇所で部分的に燃えている感じになる。そこで、横方向に長手のバーナを採用することにより横長の火炎を形成させ、擬似薪が全体的に燃えているような印象を与えることが考えられる。そして、このような横方向に長手のバーナを擬似薪の前方に配置することで、擬似薪と火炎とが効果的にレイアウトされて視覚的印象を高めることができる。更に、擬似薪の前方に火炎を発生させるバーナにおいてはその燃焼時に二次空気のみを燃焼用空気とすることにより比較的大きな黄色炎を形成することができ、ガス燃料による小さな青色炎のような不自然さをなくして、擬似薪が燃えている様子を良好に演出することができる。
【特許文献１】実公平５−３７１２９号公報
【発明の開示】
【発明が解決しようとする課題】
【０００４】
ところで、バーナの燃焼用空気として一次空気を用いずに二次空気のみを用いたときには、比較的大きな黄色炎が形成できる反面、バーナの炎孔に極めて近接した位置から黄色炎が形成されるために、炎孔への黄色炎の接触が生じて炎孔周囲に煤が付着する。そして、場合によっては、炎孔周囲の煤が炎孔を塞いで目詰まりをおこし、良好な燃焼を阻害するおそれがある。
【０００５】
また、横方向に長手のバーナによって形成される比較的大きく横長の黄色炎は燃焼用二次空気の流速の影響を受けやすく、火炎に不自然な揺れが生じて視覚的印象を低下させるおそれがある。
【０００６】
本発明は、以上の点に鑑み、バーナの炎孔に煤が付着することなく黄色炎を発生させ、しかも黄色炎の不自然な揺れを抑えることによって、バーナの良好な燃焼と視覚的印象の向上とを両立させることができる暖炉型暖房器を提供することをその課題としている。
【課題を解決するための手段】
【０００７】
かかる目的を達成するために、本発明は、外ケースと、外ケース内に収容された燃焼筐とを備え、外ケースの前面側から燃焼筐内を目視可能とした暖炉型暖房器であって、燃焼筐内の下部に配置した支持板と、支持板上に載置された擬似薪と、擬似薪の載置位置の前側に沿った支持板の下側に配置されてガス燃料により燃焼する横方向に長手のバーナとを備え、支持板に、バーナ上部の炎孔を露出させるバーナ用開口と、バーナ用開口の周辺部に開口する二次空気孔とが開設され、二次空気孔から送られる二次空気のみをバーナの燃焼用空気として用いるものにおいて、支持板上に、バーナの少なくとも一部の前後側に対向してバーナの炎孔から空隙を存した上方位置に二次空気孔からの二次空気を案内する一対の二次空気案内板を設けたことを特徴とする。
【０００８】
本発明においては、二次空気孔から送られる二次空気のみがバーナの燃焼用空気として用いられる。これにより、バーナは比較的大きな横長の黄色炎を形成する。そして、本発明は、バーナの前後側に対向して一対の二次空気案内板を設けている。これにより、支持板に形成された二次空気孔からの二次空気は二次空気案内板の外側面に沿って流れ、バーナの上方位置に案内される。このとき、二次空気案内板によって案内された二次空気は、バーナの炎孔から空隙を存した上方位置に供給されるので、バーナによる黄色炎は、炎孔から空隙を存した位置に形成される。このように、二次空気案内板により、バーナの炎孔から離れた位置に黄色炎を形成することができるので、炎孔やその周囲への黄色炎の接触を防止することができる。従って、黄色炎が形成されていても、炎孔やその周囲に煤が付着することはなく、炎孔の目詰まりを確実に防止してバーナを良好に燃焼させることができ、安定した比較的大きな横長の黄色炎を形成して視覚的印象を向上させることができる。
【０００９】
ここで、前記二次空気案内板は、前記支持板上に重合して支持板に連結される連結部と、該連結部に形成されて支持板の二次空気孔に連通する連通孔と、連通孔を介して送られる二次空気をバーナの炎孔の上方に向かって上昇させる上昇案内部とを備えることが好ましい。
【００１０】
これによれば、支持板の二次空気孔に至った二次空気は二次空気案内板の連通孔を経て支持板上に流れ、更に、二次空気案内板の上昇案内部に沿って上昇して炎孔の上方位置に円滑に供給される。しかも、二次空気案内板は、その連結部に連通孔を備えることによって、二次空気量を連通孔の大きさで調整することができ、例えば、燃料ガスのガス種を変更する場合にも、変更するガス種にあった連通孔の大きさを備える二次空気案内板に交換するだけでよい。
【００１１】
また、本発明において、前記燃焼筐には支持板の下側に二次空気を供給する給気ダクトが設けられており、給気ダクトからの二次空気がバーナの長手方向の一方端部の後方側からバーナに向かって流動するとき、バーナの長手方向の一方端部とその後方側に位置する二次空気孔との間に起立して二次空気孔からバーナへ向かう二次空気流を抑制する二次空気抑制板を設け、前記二次空気案内板をバーナの長手方向の他方端部側に設けることが好ましい。
【００１２】
給気ダクトがバーナの長手方向の一方端部の後方側から二次空気を送るように配置されている場合には、バーナは横長形状であるためにその全長にわたって二次空気が送られるに先立って、給気ダクトからの二次空気がバーナの一部に多量に供給される。このため、給気ダクトに対応する部分のバーナの火炎は、給気ダクトからの二次空気の煽りを受けて激しく揺れ動き、黄色炎が燃えている様子が不自然となって視覚的印象が低下する。しかも、黄色炎の激しい揺れのために、炎孔の周囲に黄色炎が触れて煤が付着することがある。
【００１３】
そこで、本発明は、前記二次空気抑制板を設けることによって、給気ダクトに対応する部分であるバーナの長手方向の一方端部の後方側に対する二次空気の流速を抑制する。これによって、給気ダクトに対応する部分であるバーナの長手方向の一方端部に形成される黄色炎の揺れを抑えることができ、自然に燃える黄色炎を演出して視覚的印象を向上することができる。それだけでなく、黄色炎の揺れが抑えられることによって炎孔周囲への煤の付着を防止することができる。
【００１４】
更に、バーナの長手方向の他方端部に設けられている二次空気案内板により形成される黄色炎に対しても、バーナの長手方向の一方端部から波及する二次空気の流速の影響を抑えることができ、黄色炎の不自然な揺れを抑制することができ、黄色炎に対する自然な視覚的印象を高めることができると同時に炎孔周囲への煤の付着を確実に防止することができる。
【発明を実施するための最良の形態】
【００１５】
本発明の一実施形態を図面に基づいて説明する。図１は本実施形態の暖炉型暖房器の斜視図、図２は本実施形態の暖房器の前面パネルを取外した状態の正面図、図３は図２のIII−III線断面説明図、図４は燃焼筐の説明的切断平面図、図５は図４のＶ−Ｖ線断面説明図、図６は図４のVI−VI線断面説明図である。
【００１６】
図１に示す本実施形態の暖房器は、壁埋め込み式の暖炉型暖房器である。この暖房器は、図１乃至図３に示すように、外ケース１と、外ケース１内に設けた燃焼筐２とを備えている。外ケース１の前面には着脱自在な前面パネル３が設けられている。また、外ケース１は、図３に示すように、室壁Ｗに形成した凹所Ｗａに埋め込まれるようにして配置され、室壁Ｗの前方に露出するのは外ケース１の前部のみとなる。
【００１７】
燃焼筐２は、その前面に着脱自在な前面扉４を備えている。そして、前面扉４にガラス板５を装着すると共に、外ケース１の前面パネル３に、ガラス板５を臨ませる窓ガラス６付きの窓部７を開設し、前面パネル３の前方から燃焼筐２内を目視できるようにしている。また、燃焼筐２内には、後述する擬似薪８とフロントバーナ９とリアバーナ１０とが設けられており、両バーナ９，１０を燃焼させたときに、あたかも暖炉のなかで擬似薪８が燃えているかのような視覚的印象を与えることができるようにしている。
【００１８】
燃焼筐２内の燃焼排気は、図３に示すように、燃焼筐２の後側に配置した熱交換器１１と、熱交換器１１の下流側に排気ファン１２を介して接続される排気ダクト１３とを介して屋外に強制的に排出される。また、燃焼筐２の底部には、給気ダクト１４が接続されており、排気ファン１２の吸引力により屋外の空気が給気ダクト１４を介して燃焼筐２内に強制的に供給される。尚、排気ダクト１３は、燃焼筐２の左外側に配置されており、排気ダクト１３からの輻射熱が前面パネル３に及ぶことを防止するため、図２に示すように、前面扉４は燃焼筐２の左側に張り出すように形成されている。また、給気ダクト１４は、燃焼筐２の右側下方に配設されている。
【００１９】
外ケース１内には、燃焼筐２の上方に位置させて温風ファン１５が配置されている。そして、外ケース１の左右の各側板部１６の前縁部に空気取入れ口１７を開設すると共に、図１及び図３に示すように、前面パネル３の窓部７の下側の部分に送風口１８を開設し、室内空気を空気取入れ口１７を介して温風ファン１５に吸込み、温風ファン１５から熱交換器１１の配置部と燃焼筐２の下方空間とを経由して送風口１８に送風して、温風暖房機能を得られるようにしている。
【００２０】
また、図２に示すように、外ケース１内の燃焼筐２との間の右側の側部空間には、電子コントロールユニット１９とバーナ用燃料ガスを供給するためのバルブユニット２０とが配置されている。そして、右側の空気取入れ口１７から流入する室内空気により、これら電子コントロールユニット１９とバルブユニット２０とが空冷されるようにしている。尚、燃焼筐２の左右各側の外側には、外ケース１の底面及び背面に達する仕切り板２１が立設されており、温風ファン１５から送風される空気が横方向に逃げることを仕切り板２１で防止できるようにしている。また、図３に示すように、燃焼筐２の下方には、熱交換器１１の配置部を通過した空気を送風口１８に導くガイド板２２が配置されている。
【００２１】
燃焼筐２内の下部には、図４に示すように、燃焼筐２の左右両側の内面に固設した一対のブラケット２３に跨らせて支持板２４が配置されており、この支持板２４上に、図３に示すように、セラミックス等の耐火材で形成された擬似薪８が載置されている。また、図３及び図４に示すように、支持板２４の下側には、横方向に長手のフロントバーナ９と、フロントバーナバーナ９の後側に位置させて、横方向に長手で左右一対のリアバーナ１０とが配置されている。そして、支持板２４には、図４に示すように、フロントバーナ９の上端部を嵌合させてフロントバーナ９の炎孔２５を擬似薪８の前側に沿って露出させるフロントバーナ用開口２６と、左右夫々のリアバーナ１０の上端部を嵌合させて各リアバーナ１０の炎孔２７を擬似薪８の下側に沿って露出させる左右一対のリアバーナ用開口２８とが形成されている。
【００２２】
これによって、各バーナ９，１０のぐらつきが防止されると共に、各バーナ９，１０の上端部から噴出するガスが支持板２４上で燃焼し、支持板２４上の擬似薪８が全体的に燃えているような印象を与えることができる。特に、フロントバーナ９については、図１に示すように、擬似薪８の前側に沿って火炎を形成することにより、擬似薪８が燃えている自然な様子が演出できるようになている。更に、各バーナ９，１０は燃焼用空気として二次空気のみで燃焼する構造のものが採用されている。これにより、特に、擬似薪８の前方に位置するフロントバーナ９においては比較的大きな黄色炎が視認され、ガス燃料による燃焼に伴う青色炎の発生を抑えて暖炉の自然な燃え具合を効果的に演出している。
【００２３】
また、図４に示すように、フロントバーナ９と左右のリアバーナ１０との間には、点火バーナ２９及び点火プラグ３０が支持板２４を貫通して支持板２４の上方に突出するように配置されている。そして、点火プラグ３０の火花放電により点火バーナ２９に点火され、点火バーナ２９からフロントバーナ９と左右のリアバーナ１０，１０とに火移り点火されるようにしている。尚、図４において符号３１で示すものは、点火バーナ２９用のフレームロッドから成る火炎検知素子である。
【００２４】
支持板２４には、フロントバーナ用開口２６の周辺部にフロントバーナ用二次空気孔３２が複数形成され、リアバーナ用開口２８の周辺部にリアバーナ用二次空気孔３３が複数形成されている。更に、支持板２４の左右の側縁部に位置させて複数の取付孔３４が形成され、これら取付孔３４において支持板２４がブラケット２３にねじ止めされる。尚、図中符号３５，３６で示すものは、フロントバーナ９及び左右のリアバーナ１０の夫々の直上部に臨むように燃焼筐２の側壁に取り付けられたフレームロッドから成る火炎検知素子である。
【００２５】
ところで、本実施形態においては、図４に示すように、フロントバーナ９の左端部側に、フロントバーナ９を介して互いに対向する一対の二次空気案内板３７が設けられている。二次空気案内板３７は、図５に示すように、支持板２４上に重合して支持板２４に連結（ねじ止め）される連結部３８を備え、連結部３８には、支持板２４のフロントバーナ用二次空気孔３２に連通する連通孔３９が開設されている。連結部３８のフロントバーナ９側となる一側縁には連通孔３９からの二次空気を上昇案内する上昇案内部４０が形成されている。
【００２６】
フロントバーナ９の上端に設けられている炎孔板４１は、支持板２４と略面一に配置され、両二次空気案内板３７の上昇案内部４０は炎孔板４１の上方に向かって互いに接近する方向に傾斜しつつ上方に延びている。フロントバーナ９の炎孔板４１には複数の炎孔２５が形成されており、二次空気案内板３７の上昇案内部４０によって案内される二次空気は炎孔２５から上方に空隙を存して供給される。これによって、フロントバーナ９の二次空気案内板３７が設けられている位置においては、二次空気案内板３７の上縁近傍から火炎（黄色炎Ｆａ）が形成される。フロントバーナ９は二次空気のみを燃焼用空気として燃焼されることにより、比較的大きな黄色炎Ｆａが形成されて暖炉として良好な視覚的印象を与えることができるが、この黄色炎Ｆａがフロントバーナ９の炎孔２５の上方に離れた位置に形成されることにより、炎孔板４１と黄色炎Ｆａとは接触せず、炎孔板４１への煤の付着や煤による炎孔２５の目詰まりが確実に防止できる。
【００２７】
しかも、二次空気案内板３７に連通孔３９を備えていることにより、二次空気量を連通孔３９の大きさで調整することができる。即ち、例えば、燃料ガスのガス種を変更した際に二次空気量の増減が必要となった場合には、フロントバーナ用二次空気孔３２の大きさを変更するために支持板２４を交換することなく、変更するガス種にあった連通孔３９の大きさを備える二次空気案内板３７に交換するだけでよいので、作業効率もよく安価となる。
【００２８】
また、本実施形態においては、図４に示すように、フロントバーナ９の右端部側には、フロントバーナ９の後側に沿って二次空気抑制板４２が設けられている。二次空気抑制板４２は、図６に示すように、支持板２４上に連結（ねじ止め）される連結部４３を備え、連結部４３のフロントバーナ９側となる一側縁には支持板２４上に起立する抑制壁部４４が形成されている。連結部４３には、前記二次空気案内板３７と同様に支持板２４の二次空気孔３２に連通する連通孔４５が開設されている。
【００２９】
図２に示すように、給気ダクト１４が燃焼筐２の右側下方に配設され、図６に示すように、フロントバーナ９の後方側から二次空気を送るようになっていることから、二次空気抑制板４２は、給気ダクト１４の位置に対応するフロントバーナ９の後方側に設けられている。
【００３０】
給気ダクト１４からフロントバーナ９に供給される二次空気は、給気ダクト１４に対応する位置にある支持板２４のフロントバーナ用二次空気孔３２からフロントバーナ９に向かう流速が他のフロントバーナ用二次空気孔３２からの流速に比べて大である。このため、給気ダクト１４に対応する位置となるフロントバーナ９の右端部側に形成される黄色炎Ｆｂが速い二次空気流の影響で激しく揺れ、視覚的に不自然な状態となる。そこで、本実施形態においては、最も二次空気の流速が大となる位置に二次空気抑制板４２を設け、その抑制壁部４４をフロントバーナ用二次空気孔３２とフロントバーナ９との間に配置している。このため、フロントバーナ用二次空気孔３２からの二次空気は、連通孔４５を経て抑制壁部４４に突き当たり、二次空気の流速が適度に抑制されてフロントバーナ９へ向かう。これにより、フロントバーナ９の右端部側に形成される黄色炎Ｆｂの不自然な揺れが抑えられ、暖炉として良好な視覚的印象を与えることができる。
【００３１】
以上、壁埋め込み式の暖炉型暖房器に本発明を適用した実施形態について説明したが、床置き式の暖炉型暖房器にも同様に本発明を適用できる。
【図面の簡単な説明】
【００３２】
【図１】本発明の一実施形態の暖炉型暖房器の斜視図。
【図２】本実施形態の暖房器の前面パネルを取外した状態の説明的正面図。
【図３】図２のIII−III線断面説明図。
【図４】燃焼筐の説明的切断平面図。
【図５】図４のＶ−Ｖ線断面説明図。
【図６】図４のVI−VI線断面説明図。
【符号の説明】
【００３３】
１…外ケース、２…燃焼筐、８…擬似薪、９…フロントバーナ（バーナ）、１４…給気ダクト、２４…支持板、２５…炎孔、２６…フロントバーナ用開口（バーナ用開口）、３２…フロントバーナ用二次空気孔（二次空気孔）、３７…二次空気案内板、３８…連結部、３９…連通孔、４０…上昇案内部、４２…二次空気抑制板。
【図１】
0004554506.tif 000002
【図２】
0004554506.tif 000003
【図３】
0004554506.tif 000004
【図４】
0004554506.tif 000005
【図５】
0004554506.tif 000006
【図６】
0004554506.tif 000007